(57)【要約】      （修正有）【課題】プッシュ機構におけるプッシュストロークを短縮して操作性を向上させるとともに小形・薄形化を図り、スライド機構は切換位置ごとにクリック感を発生させて他の機能との明確な操作感の差別化を図りうるプッシュスイッチ付きスライドスイッチを提供する。【解決手段】プッシュ機構に皿形可動接片３を用いたことでプッシュストロークが短縮されて操作性を向上させることができるとともに小形・薄形化を図ることができる。また、スライド機構の動作に連動してディテント機構２５が動作することで切換位置ごとにクリック感が発生して他の機能との明確な操作感の差別化を得ることができる。【選択図】図２
2009134950.tif 000002
【特許請求の範囲】
【請求項１】
複数のスライド用固定端子及び該複数のスライド用固定端子上をスライドして当該複数のスライド用固定端子間の接続を切換えるスライド接片を備えたスライド機構と、複数のプッシュ用固定端子並びに該複数のプッシュ用固定端子に対向して配置され中央部の１段押し操作及び該操作の解除により弾性的に反転して前記複数のプッシュ用固定端子間の接続を開閉する皿形可動接片を備えた１段階式プッシュ機構と、前記皿形可動接片の押し操作及び前記スライド接片のスライド操作を行わせるための摘み並びに該摘みを押し操作可能に保持するとともに前記スライド接片を取付けて前記摘みによるスライド操作時に当該スライド接片を前記複数のスライド用固定端子上にスライドさせるスライダを備えた操作機構と、前記スライダとスイッチ本体側との間に設けられ前記スライド接片による前記複数のスライド用固定端子間の切換位置ごとにクリック感を発生するディテント機構と、前記摘みによる少なくとも一方向へのスライド操作時に該摘みをスライド操作前の中立位置に復帰させるための付勢力を生成し前記摘みによるスライド操作の解除時に前記付勢力により前記摘みを前記スライダとともに前記中立位置に弾力的に復帰させる自己復帰機構とを一体に構成してなることを特徴とするプッシュスイッチ付きスライドスイッチ。
【請求項２】
上記ディテント機構と上記自己復帰機構は、上記１段階式プッシュ機構の両サイドにそれぞれ配置してなることを特徴とする請求項１記載のプッシュスイッチ付きスライドスイッチ。
【請求項３】
上記スライド機構における複数のスライド用固定端子及び上記１段階式プッシュ機構における複数のプッシュ用固定端子は、ベースの成形時に該ベース内の表面部にインサート成形により設けてなることを特徴とする請求項１又は２記載のプッシュスイッチ付きスライドスイッチ。
【発明の詳細な説明】
【技術分野】
【０００１】
本発明は、プッシュスイッチ付きスライドスイッチに関するものであり、特に、小形・薄形で優れた操作性を有するプッシュスイッチ付きスライドスイッチに関するものである。
【背景技術】
【０００２】
この種の従来技術として、例えば、次のようなプッシュスライドスイッチが知られている。この従来技術は、スライドスイッチ機能部とプッシュスイッチ機能部のいずれも、復帰用のバネ部材としてそれぞれコイルばねが使用されて摺動接点方式として構成されている。そして、一つの摘みの操作によってプッシュスイッチとしてもスライドスイッチとしても機能するようになっている（例えば、特許文献１参照）。
【特許文献１】特開２００１−２２９７８１号公報。
【発明の開示】
【発明が解決しようとする課題】
【０００３】
特許文献１に記載の従来技術においては、スライドスイッチ機能部とプッシュスイッチ機能部のいずれも摺動接点方式となっている。このため、プッシュストロークが大きくなってスイッチ全体が大形化するとともに良好な操作感触が得難いという問題があった。また、近年の多様化した機能を持つ電子機器においては各機能のスイッチに操作感の差別化が求められている。しかし上記従来技術は、これに対応させることも難しいという問題があった。
【０００４】
そこで、プッシュ機構におけるプッシュストロークを短縮して操作性を向上させるとともに小形・薄形化を図り、スライド機構は切換位置ごとにクリック感を発生させて他の機能との明確な操作感の差別化を図り、さらには複合機能を備えたスイッチを高い精度で容易に製造、組立てを行うとともにコスト低減を図るために解決すべき技術的課題が生じてくるのであり、本発明はこの課題を解決することを目的とする。
【課題を解決するための手段】
【０００５】
本発明は上記目的を達成するために提案されたものであり、請求項１記載の発明は、複数のスライド用固定端子及び該複数のスライド用固定端子上をスライドして当該複数のスライド用固定端子間の接続を切換えるスライド接片を備えたスライド機構と、複数のプッシュ用固定端子並びに該複数のプッシュ用固定端子に対向して配置され中央部の１段押し操作及び該操作の解除により弾性的に反転して前記複数のプッシュ用固定端子間の接続を開閉する皿形可動接片を備えた１段階式プッシュ機構と、前記皿形可動接片の押し操作及び前記スライド接片のスライド操作を行わせるための摘み並びに該摘みを押し操作可能に保持するとともに前記スライド接片を取付けて前記摘みによるスライド操作時に当該スライド接片を前記複数のスライド用固定端子上にスライドさせるスライダを備えた操作機構と、前記スライダとスイッチ本体側との間に設けられ前記スライド接片による前記複数のスライド用固定端子間の切換位置ごとにクリック感を発生するディテント機構と、前記摘みによる少なくとも一方向へのスライド操作時に該摘みをスライド操作前の中立位置に復帰させるための付勢力を生成し前記摘みによるスライド操作の解除時に前記付勢力により前記摘みを前記スライダとともに前記中立位置に弾力的に復帰させる自己復帰機構とを一体に構成してなるプッシュスイッチ付きスライドスイッチを提供する。
【０００６】
この構成によれば、摘みをスライド操作するとスライダを介してスライド接片が複数のスライド用固定端子上をスライドして該複数のスライド用固定端子間の接続切換えが行われる。一方、摘みを押し操作すると皿形可動接片が表裏方向に弾性的に反転動作して複数のプッシュ用固定端子間の開閉が行われる。また、摘みのスライド操作によるスライド機構の動作時には、これと連動して、ディテント機構が動作する。そして、該ディテント機構の動作により、スライド接片による複数のスライド用固定端子間の切換位置ごとに、操作者に対しクリック感が発生して他の機能との操作感の差別化が得られる。また摘みによる少なくとも一方向へのスライド操作時には自己復帰機構の動作により、該スライド操作の解除時に摘みはスライド操作前の中立位置に自動的に復帰する。
【０００７】
請求項２記載の発明は、上記ディテント機構と上記自己復帰機構は、上記１段階式プッシュ機構の両サイドにそれぞれ配置してなるプッシュスイッチ付きスライドスイッチを提供する。
【０００８】
この構成によれば、複数のプッシュ用固定端子、皿形可動接片及び操作機構における摘みが縦形に構成される一段階式プッシュ機構に対し、その両サイドにディテント機構と自己復帰機構をそれぞれ配置したことで、スイッチ全体の薄形化が、より良く図れる。
【０００９】
請求項３記載の発明は、上記スライド機構における複数のスライド用固定端子及び上記１段階式プッシュ機構における複数のプッシュ用固定端子は、ベースの成形時に該ベース内の表面部にインサート成形により設けてなるプッシュスイッチ付きスライドスイッチを提供する。
【００１０】
この構成によれば、複数のスライド用固定端子と複数のプッシュ用固定端子とをベース内の表面部にインサート成形により設けたことで、組立工数の低減とともにスイッチ全体の薄形化が図れる。
【発明の効果】
【００１１】
請求項１記載の発明は、複数のスライド用固定端子及び該複数のスライド用固定端子上をスライドして当該複数のスライド用固定端子間の接続を切換えるスライド接片を備えたスライド機構と、複数のプッシュ用固定端子並びに該複数のプッシュ用固定端子に対向して配置され中央部の１段押し操作及び該操作の解除により弾性的に反転して前記複数のプッシュ用固定端子間の接続を開閉する皿形可動接片を備えた１段階式プッシュ機構と、前記皿形可動接片の押し操作及び前記スライド接片のスライド操作を行わせるための摘み並びに該摘みを押し操作可能に保持するとともに前記スライド接片を取付けて前記摘みによるスライド操作時に当該スライド接片を前記複数のスライド用固定端子上にスライドさせるスライダを備えた操作機構と、前記スライダとスイッチ本体側との間に設けられ前記スライド接片による前記複数のスライド用固定端子間の切換位置ごとにクリック感を発生するディテント機構と、前記摘みによる少なくとも一方向へのスライド操作時に該摘みをスライド操作前の中立位置に復帰させるための付勢力を生成し前記摘みによるスライド操作の解除時に前記付勢力により前記摘みを前記スライダとともに前記中立位置に弾力的に復帰させる自己復帰機構とを一体に構成したので、１段階式プッシュ機構に皿形可動接片を用いたことでプッシュストロークが短縮されて操作性を向上させることができるとともに小形・薄形化を図ることができる。スライド機構の動作に連動してディテント機構が動作することで切換位置ごとにクリック感が発生して他の機能との明確な操作感の差別化を得ることができる。またディテント機構及び自己復帰機構を備えたスライド機構と１段階式プッシュ機構とを一体化したことで、複合機能を備えたスイッチを高い精度で容易に製造、組立てを行うことができるという利点がある。
【００１２】
請求項２記載の発明は、上記ディテント機構と上記自己復帰機構は、上記１段階式プッシュ機構の両サイドにそれぞれ配置したので、皿形可動接片及び摘み等が縦形に構成される１段階式プッシュ機構に対し、その両サイドにディテント機構と自己復帰機構をそれぞれ配置したことで、スイッチ全体の薄形化を、より良く図ることができるという利点がある。
【００１３】
請求項３記載の発明は、上記スライド機構における複数のスライド用固定端子及び上記１段階式プッシュ機構における複数のプッシュ用固定端子は、ベースの成形時に該ベース内の表面部にインサート成形により設けたので、組立工数を低減することができて経済的な効果を期待することができるとともに薄形化を図ることができるという利点がある。
【発明を実施するための最良の形態】
【００１４】
プッシュ機構におけるプッシュストロークを短縮して操作性を向上させるとともに小形・薄形化を図り、スライド機構は切換位置ごとにクリック感を発生させて他の機能との明確な操作感の差別化を図り、さらには複合機能を備えたスイッチを高い精度で容易に製造、組立てを行うとともにコスト低減を図るという目的を、複数のスライド用固定端子及び該複数のスライド用固定端子上をスライドして当該複数のスライド用固定端子間の接続を切換えるスライド接片を備えたスライド機構と、複数のプッシュ用固定端子並びに該複数のプッシュ用固定端子に対向して配置され中央部の１段押し操作及び該操作の解除により弾性的に反転して前記複数のプッシュ用固定端子間の接続を開閉する皿形可動接片を備えた１段階式プッシュ機構と、前記皿形可動接片の押し操作及び前記スライド接片のスライド操作を行わせるための摘み並びに該摘みを押し操作可能に保持するとともに前記スライド接片を取付けて前記摘みによるスライド操作時に当該スライド接片を前記複数のスライド用固定端子上にスライドさせるスライダを備えた操作機構と、前記スライダとスイッチ本体側との間に設けられ前記スライド接片による前記複数のスライド用固定端子間の切換位置ごとにクリック感を発生するディテント機構と、前記摘みによる少なくとも一方向へのスライド操作時に該摘みをスライド操作前の中立位置に復帰させるための付勢力を生成し前記摘みによるスライド操作の解除時に前記付勢力により前記摘みを前記スライダとともに前記中立位置に弾力的に復帰させる自己復帰機構とを一体に構成することにより実現した。
【実施例１】
【００１５】
以下、本発明の実施例を図面に従って詳述する。図１はプッシュスイッチ付きスライドスイッチの外観を示す図、図２はプッシュスイッチ付きスライドスイッチの要部分解斜視図、図３はベース部を示す図である。まず、本実施例に係るプッシュスイッチ付きスライドスイッチの構成を説明する。
【００１６】
図２において、プッシュスイッチ付きスライドスイッチ１は、主として、ベース２、後述する複数のプッシュ用固定端子と共に１段階式プッシュ機構を構成する皿形可動接片３、自己復帰機構を構成するコイルばね４、絶縁板５、後述する複数のスライド用固定端子と共にスライド機構を構成するスライド接片６、皿形可動接片３のプッシュ（押し）操作及びスライド接片６のスライド操作を行うための摘み７ａを備えた摘み部７、該摘み部７と共に操作機構９を構成するスライダ８、並びにベース２の上側に取付けられ、該ベース２と共にスイッチ本体となるカバー１０等で構成されている。
【００１７】
ベース２は、合成樹脂等の絶縁性部材製であり、図３（ａ）に示すように、平面視左右方向にやや長い長方形状で上面が開放の箱形に形成されている。ベース２の内底面２ａには、ほぼ円形の凹部２ｂ内に２個のプッシュ用固定端子１１，１２が適宜間隔をおいて形成され、幅方向の一側部（図３（ａ）の上部側）には、スライド用の４個の固定端子１３、固定端子１４、共通固定端子１５及び固定端子１６が左右方向に一列に並んで形成されている。前記２個のプッシュ用固定端子１１，１２及び４個のスライド用固定端子１３，１４，１５，１６は、ベース２の成形時に、その内底面２ａにインサート成形により形成されている。      
【００１８】
また、ベース２における幅方向の他側部（図３（ａ）の下部側）には、溝状のコイルばね収容凹部１７が形成され、該コイルばね収容凹部１７の左右両端部に前側位置決め部１７ａと後側位置決め部１７ｂが形成されている。前記コイルばね４は、その両端部が前側位置決め部１７ａと後側位置決め部１７ｂにそれぞれ位置決めされてコイルばね収容凹部１７に収容される。
【００１９】
ベース２の左右外側面２ｃ，２ｃにおける各端部の上部位置には、カバー１０を係止するための係止突起１８，…がそれぞれ形成されている。
【００２０】
図４は、ベース２の内底面２ａに配列されている２個のプッシュ用固定端子１１，１２並びにスライド用の４個の固定端子１３、固定端子１４、共通固定端子１５及び固定端子１６の各形状及び配列状態を示している。２個のプッシュ用固定端子１１，１２の各端子部１１ａ，１２ａと４個のスライド用固定端子１３〜１６の各端子部１３ａ，１４ａ，１４ｂ，１５ａ，１５ｂ，１６ａは、ベース２の外側面にそれぞれ導出されている。
【００２１】
前記皿形可動接片３は、金属板ばね材をプレス加工して、ドーム状に湾曲した円形に作られており、中央部が１段押しされると表裏方向で弾性的に反転する可動接片として作られている。該皿形可動接片３は、前記ベース２の内底面２ａにおける円形凹部２ｂの部分に位置決め配置されて２個のプッシュ用固定端子１１，１２と共に打接点方式の１段階式プッシュ機構を構成している。皿形可動接片３は、中央部が押下されずに完全なドーム状の形をしているときには、２個のプッシュ用固定端子１１と１２の間を離して、電気的にオフの状態にしている。中央部が一段押しされると表裏方向に撓んでクリック変形し、この変形した状態で２個のプッシュ用固定端子１１と１２に跨がって接触し、２個のプッシュ用固定端子１１と１２の間を接続して電気的にオンの状態にする。中央の押下が解かれると再びクリック変形して元の状態に戻る。
【００２２】
絶縁板５は、皿形可動接片３とスライド接片６との間の電気的絶縁を図るものである。
【００２３】
スライド接片６は、金属板ばね材をプレス加工して形成されたものであり、両端には、４個のスライド用固定端子１３，１４，１５，１６に摺接接続される接点６ａ，６ｂがそれぞれ形成されている。このスライド接片６は、４個のスライド用固定端子１３，１４，１５，１６と共にスライド機構を構成している。
【００２４】
摘み部７は、図６に示すように、摘み７ａの下部に鍔部７ｂが設けられ、摘み７ａの上面に凹部７ｃが形成されている。該凹部７ｃに別途作製した適宜の部品等を嵌着することができる。摘み７ａは、前記皿形可動接片３の１段押し操作及び前記スライド接片６のスライド操作を行わせるためのもので、鍔部７ｂの底面には前記皿形可動接片３の中央部に向かって突き出した凸部７ｄが形成されている。摘み７ａを押し操作したとき、該凸部７ｄにより皿形可動接片３の中央部を確実に１段押しすることができる。
【００２５】
スライダ８は合成樹脂製であり、図７に示すように、その上面のほぼ中央部には前記摘み７ａを押し操作可能に保持するための開口１９が形成されている。スライダ８は、その下面に前記スライド接片６を取付けて摘み７ａによるスライド操作時に該スライド接片６を前記４個のスライド用固定端子１３，１４，１５，１６上にスライドさせて、該スライド用固定端子１３，１４，１５，１６間の接続を切換えるものである。そして、該スライダ８と前記摘み部７とで、操作機構９が構成されている。
【００２６】
スライダ８の上面における一側部（図７（ａ）の上部側）には、３個のディテント係止用凹部２０ａ，２０ｂ，２０ｃが左右方向に、それぞれ所要間隔をおいて形成されている。また、スライダ８の他側部（図７（ｄ）の下部側）における下面には、前記コイルばね収容凹部１７における前側位置決め部１７ａと後側位置決め部１７ｂ（図３（ａ）参照）にそれぞれ対応した前側作用部２１ａと後側作用部２１ｂが下方に向けて形成されている。
【００２７】
図５は、ベース２部分のコイルばね収容凹部１７に収容されたコイルばね４に対するスライダ８の下面に形成された前側作用部２１ａ及び後側作用部２１ｂの係わり合い関係を示している。このような収容状態にあるコイルばね４の前端に対してはスライダ８側の前側作用部２１ａが、またコイルばね４の後端に対してはスライダ８側の後側作用部２１ｂがそれぞれ係合可能となるように、スライダ８がベース２内の上部に左右移動可能に取付けられている。図５は、スライダ８が中立位置にあるときのコイルばね４の両端に対するスライダ８側の前側作用部２１ａ及び後側作用部２１ｂの係わり合い関係を示したものである。コイルばね４、コイルばね収容凹部１７の両端部に形成された前側位置決め部１７ａ及び後側位置決め部１７ｂ、並びにスライダ８の下面に形成された前側作用部２１ａ及び後側作用部２１ｂにより、自己復帰機構２２が構成されている。
【００２８】
カバー１０は、スライダ８の上側からベース２に取付けられるもので、金属板ばね材をプレス加工して形成されており、図８に示すように、本体部１０ａ及び該本体部１０ａの左右両側から下側に折曲された左右の側板部１０ｂ，１０ｂが一体に形成されている。本体部１０ａには、操作機構９における摘み７ａと対応する位置に摘み用開口２３が形成され、左右の側板部１０ｂ，１０ｂには、前記ベース２に形成されている４個の係止突起１８，…にそれぞれ係止するための４個の係止爪１０ｃ，…が形成されている。また、本体部１０ａの一側部（図８  （ａ）の上部側）には、スライダ８における前記ディテント係止用凹部２０ａ，２０ｂ，２０ｃに対応した下方側への突部２４ａを有するディテントばね２４が形成されている。該下方側への突部２４ａを有するディテントばね２４と前記スライダ８におけるディテント係止用凹部２０ａ，２０ｂ，２０ｃとでディテント機構２５が構成されている。
【００２９】
このようなプッシュスイッチ付きスライドスイッチ１は、まず最初に２個のプッシュ用固定端子１１，１２及び４個のスライド用固定端子１３，１４，１５，１６が予め一体に形成されたベース２の上方より、皿形可動接片３及び絶縁板５を所定の態様で配置する。次いで、摘み部７にスライダ８を重ね合わせるとともに、該スライダ８の下面にスライド接片６を取付けた状態で、該摘み部７とスライダ８で構成される操作機構９をベース２上に配置する。これにより、スライド接片６がスライド用固定端子１３，１４，１５，１６上に配置されてスライド機構としての１回路３接点のスライドスイッチ２６が構成される。また摘み部７における凸部７ｄが皿形可動接片３の中央部に対向して１段階式プッシュ機構としてのプッシュスイッチ２７が構成される。このような状態で、操作機構９が、皿形可動接片３、絶縁板５及びスライド接片６を覆って配置される。
【００３０】
次いで、摘み７ａと摘み用開口２３を対応させて操作機構９の上からカバー１０を被せ、カバー１０側の係止爪１０ｃ，…をベース２側の係止突起１８，…に係合させ、該カバー１０をベース２に取付ける。これにより、摘み７ａが摘み用開口２３からカバー１０の外側に突出し、またディテントばね２４の突部２４ａがスライダ８のディテント係止用凹部２０ａ，２０ｂ，２０ｃに係合可能な状態で組み立てられる。図１は、この組立てられた後のプッシュスイッチ付きスライドスイッチ１を示している。
【００３１】
次に、図９〜図１２を用いて、上述のように組み立てられたプッシュスイッチ付きスライドスイッチ１の動作を説明する。まず、摘み７ａを左右に動かした場合、即ちスライドスイッチ２６として動作させた場合を説明する。
【００３２】
「摘み７ａが中立位置にあるとき」（図９（ａ）、図１０（ａ））。このとき、スライドスイッチ２６におけるスライド接片６は、共通固定端子１５と固定端子１４とに接触して該両端子１４，１５間がオンになる。また、ディテント機構２５はディテントばね２４の突部２４ａが中立点に対応したディテント係止用凹部２０ｂに落ち込み係合している。
【００３３】
「摘みを左側へスライド操作したとき」（図９（ｂ）、図１０（ｂ））。このとき、スライドスイッチ２６におけるスライド接片６は左側へスライドし、共通固定端子１５と固定端子１３とが接触するように切換えられて該両端子１３，１５間がオンになり、共通固定端子１５と固定端子１４間はオフに転じる。また、スライド接片６の左側へのスライドに連動してディテント機構２５及び自己復帰機構２２が次のように動作する。即ち、ディテント機構２５では、ディテントばね２４の突部２４ａがディテント係止用凹部２０ａに落ち込み係合して操作者にクリック感が与えられる。自己復帰機構２２では、前端が前側位置決め部１７ａで係止されたコイルばね４の後端がスライダ８側の後側作用部２１ｂで押されることで、該コイルばね４が圧縮されて摘み７ａをスライド操作前の中立位置に復帰させるための付勢力が生成される。この付勢力により摘み７ａによる左側へのスライド操作が解除されると、該摘み７ａはスライダ８とともに前記中立位置に弾力的に復帰する。
【００３４】
「摘みを右側へスライド操作したとき」（図９（ｃ）、図１０（ｃ））。このとき、スライドスイッチ２６におけるスライド接片６は右側へスライドし、共通固定端子１５と固定端子１６とが接触するように切換えられて該両端子１５，１６間がオンになり、共通固定端子１５と固定端子１４間はオフに転じる。また、スライド接片６の右側へのスライドに連動してディテント機構２５及び自己復帰機構２２が次のように動作する。即ち、ディテント機構２５では、ディテントばね２４の突部２４ａがディテント係止用凹部２０ｃに落ち込み係合して操作者にクリック感が与えられる。自己復帰機構２２では、後端が後側位置決め部１７ｂで係止されたコイルばね４の前端がスライダ８側の前側作用部２１ａで押されることで、該コイルばね４が圧縮されて摘み７ａをスライド操作前の中立位置に復帰させるための付勢力が生成される。この付勢力により摘み７ａによる右側へのスライド操作が解除されると、該摘み７ａはスライダ８とともに前記中立位置に弾力的に復帰する。
【００３５】
なお、自己復帰機構２２については、スライダ８の下面における前側作用部２１ａ又は後側作用部２１ｂのうちのいずれか一方の作用部の形成を省略して、変形例として構成することも可能である。そして前側作用部２１ａの形成を省略したときは、摘み７ａを右側へスライド操作したとき、コイルばね４は圧縮されないので摘み７ａをスライド操作前の中立位置に復帰させるための付勢力は生成されない。このため、共通固定端子１５と固定端子１６間のオン状態への切換えはそのまま保持される。この切換え状態から摘み７ａを中立位置に復帰させるときは、該摘み７ａの手動操作がなされる。
【００３６】
また、後側作用部２１ｂの形成を省略したときは、摘み７ａを左側へスライド操作したとき、コイルばね４は圧縮されないので摘み７ａをスライド操作前の中立位置に復帰させるための付勢力は生成されない。このため、共通固定端子１５と固定端子１３間のオン状態への切換えはそのまま保持される。この切換え状態から摘み７ａを中立位置に復帰させるときは、前記と同様に該摘み７ａの手動操作がなされる。
【００３７】
次いで、摘み７ａを１段押し操作した場合、即ち１段階式のプッシュスイッチ２７として動作させた場合を説明する。
【００３８】
「摘み７ａを押し操作してないとき」（図１１（ａ）、図１２（ａ））。このとき、２個のプッシュ用固定端子１１，１２間は、オフ状態のままに保持されている。      
【００３９】
「摘み７ａを１段押し操作したとき」（図１１（ｂ）、図１２（ｂ））。このとき、摘み部７の下面に形成された凸部７ｄにより皿形可動接片３の中央部が１段押しされる。この押し操作により、皿形可動接片３が表裏方向に弾性的に反転動作して該皿形可動接片３の裏面が２個のプッシュ用固定端子１１，１２に接触し、該２個のプッシュ用固定端子１１，１２がオン状態になる。摘み７ａの押し操作を解除すると、皿形可動接片３の弾性復帰力で摘み７ａが戻され、これと同時に２個のプッシュ用固定端子１１，１２間は、元のオフ状態に転じる。
【００４０】
上述したように、本実施例に係るプッシュスイッチ付きスライドスイッチにおいては、１段階式のプッシュスイッチ２７に皿形可動接片３を用いたことでプッシュストロークが短縮されて操作性を向上させることができるとともに小形・薄形化を図ることができる。
【００４１】
スライドスイッチ２６は、切換位置ごとにクリック感が発生することで他の機能との明確な操作感の差別化を得ることができる。
【００４２】
ディテント機構２５及び自己復帰機構２２を備えたスライドスイッチ２６と１段階式のプッシュスイッチ２７とを一体化したことで、複合機能を備えたスイッチを高い精度で容易に製造、組立てを行うことができる。
【００４３】
皿形可動接片３及び摘み部７等が縦形に構成される１段階式のプッシュスイッチ２７に対し、その両サイドにディテント機構２５と自己復帰機構２２をそれぞれ配置したことで、スイッチ全体の薄形化を、より良く図ることができる。
【００４４】
複数のスライド用固定端子１３〜１６及び複数のプッシュ用固定端子１１，１２は、ベース２の成形時にインサート成形により形成したので、組立工数を低減することができて経済的な効果を期待することができる。
【００４５】
なお、自己復帰機構２２については、前述のように、スライダ８の下面における前側作用部２１ａ又は後側作用部２１ｂのうちのいずれか一方の作用部の形成を省略することで、摘み７ａを右側へスライド操作したとき、又は摘み７ａを左側へスライド操作したときについて該自己復帰機構２２の機能は無効となる変形例が構成されることを述べた。これと同様にして、ディテント機構２５についても、カバー１０部分への突部２４ａを有するディテントばね２４の形成の有無、及びスライダ８部分へのディテント係止用凹部２０ａ，２０ｂ，２０ｃの形成の有無により、摘み７ａを右側へスライド操作したとき、又は摘み７ａを左側へスライド操作したときについて、ディテント機構２５の機能は無効となる変形例が得られる。
【００４６】
そこで、本実施例に係るプッシュスイッチ付きスライドスイッチにおいては、スライダ８及びカバー１０のみを組み替えることで、自己復帰機構２２とディテント機構２５についてそれぞれ機能の異なる変形例を構成し、この両変形例を組合わせることでプッシュスイッチ付きスライドスイッチとして、例えば、１３通りのバリエーションを有するものを用意することが可能である。
【００４７】
図１３は、この自己復帰機構２２による自己復帰機能とディテント機構２５によるクリック感触についての１３通りのバリエーションを有するプッシュスイッチ付きスライドスイッチＡ〜Ｎをまとめて示している。表中、「○」は「機能有り」を示し、空欄は「機能なし」を示す。
【００４８】
なお、本発明は、本発明の精神を逸脱しない限り種々の改変をなすことができ、そして、本発明が該改変されたものにも及ぶことは当然である。
【図面の簡単な説明】
【００４９】
図は本発明の実施例に係るプッシュスイッチ付きスライドスイッチを示すものである。
【図１】プッシュスイッチ付きスライドスイッチの外観を示す図であり、（ａ）は平面図、（ｂ）は図（ａ）のＡ側から見た側面図、（ｃ）は図（ａ）のＢ側から見た側面図。
【図２】プッシュスイッチ付きスライドスイッチの要部分解斜視図。
【図３】ベースを示す図であり、（ａ）は平面図、（ｂ）は図（ａ）のＤ側から見た側面図、（ｃ）は図（ａ）のＥ側から見た側面図、（ｄ）は図（ａ）のＦ−Ｆ線断面図。
【図４】ベース内の表面部にインサート成形された複数のスライド用固定端子及び複数のプッシュ用固定端子を示す平面図。
【図５】ベースの一側部に内装された自己復帰機構の構成図。
【図６】摘み部を示す図であり、（ａ）は平面図、（ｂ）は図（ａ）のＧ−Ｇ線断面図。
【図７】スライダを示す図であり、（ａ）は平面図、（ｂ）は図（ａ）のＨ−Ｈ線断面図、（ｃ）は図（ａ）のＪ−Ｊ線断面図、（ｄ）は底面図。
【図８】カバーを示す図であり、（ａ）は平面図、（ｂ）は図（ａ）の側面図、（ｃ）は図（ａ）のＫ−Ｋ線断面図、（ｄ）は図（ａ）のＬ−Ｌ線断面図。
【図９】スライド機構のスライド操作状態を示す図１（ａ）のＣ−Ｃ線断面に相当する図であり、（ａ）は摘みが中立位置にあるときの図、（ｂ）は摘みを一側方へスライド操作した状態の図、（ｃ）は摘みを他側方へスライド操作した状態の図。
【図１０】スライド機構の接点切換えを模式的に示す図であり、（ａ）は摘みが中立位置にあるときの結線図、（ｂ）は摘みを一側方へスライド操作したときの結線図、（ｃ）は摘みを他側方へスライド操作したときの結線図。
【図１１】プッシュ機構のプッシュ操作状態を示す図１（ａ）のＣ−Ｃ線断面に相当する図であり、（ａ）は非プッシュ操作状態の図、（ｂ）は摘みをプッシュ操作した状態の図。
【図１２】プッシュ機構の接点開閉を模式的に示す図であり、（ａ）は非プッシュ時の結線図、（ｂ）はプッシュ操作時の結線図。
【図１３】スライドスイッチ部における自己復帰機構とディテント機構のバリエーション例を示す図。
【符号の説明】
【００５０】
１        プッシュスイッチ付きスライドスイッチ
２        ベース
３        皿形可動接片
４        コイルばね
５        絶縁板
６        スライド接片
７        摘み部
７ａ      摘み
８        スライダ
９        操作機構
１０        カバー
１１        プッシュ用固定端子
１２        プッシュ用固定端子
１３        固定端子
１４        固定端子
１５        共通固定端子
１６        固定端子  
１７        コイルばね収容凹部
１８        係止突起
１９        開口
２０ａ〜ｃ  ディテント係止用凹部
２１ａ〜ｂ  前側作用部と後側作用部
２２        自己復帰機構
２３        摘み用開口
２４        ディテントばね
２５        ディテント機構
２６        スライドスイッチ
２７        プッシュスイッチ
【図１】
2009134950.tif 000003
【図２】
2009134950.tif 000004
【図３】
2009134950.tif 000005
【図４】
2009134950.tif 000006
【図５】
2009134950.tif 000007
【図６】
2009134950.tif 000008
【図７】
2009134950.tif 000009
【図８】
2009134950.tif 000010
【図９】
2009134950.tif 000011
【図１０】
2009134950.tif 000012
【図１１】
2009134950.tif 000013
【図１２】
2009134950.tif 000014
【図１３】
2009134950.tif 000015